(57)【要約】      （修正有）【課題】インサートと吊り金具との螺合部分の強度が高く、多種多様な吊り金具の形状に対応することができ、更に、インサート取付後におけるデッキプレート下面の美感をも考慮したデッキプレート用インサートの提供。【解決手段】デッキプレートの貫通孔に上方から挿通取付されるインサートであって、鍔状の頭部２３と、貫通孔に挿通される軸部２１と、軸部に形成された雌ネジ部とからなるインサート本体２と、ワッシャー部材４と、ワッシャー部材をデッキプレート上面に押し付けるスプリング部材３と、デッキプレート挿通取付時に、デッキプレート下側にて外周方向に張出し可能な張出し片部が設けられた筒状部材５を有するデッキプレート用インサートにおいて、筒状部材が、有頭の雄ネジ体からなる仮止め部材の外周に装着され、仮止め部材の雄ネジ部と、インサート本体の雌ネジ部とを螺合することにより、筒状部材がインサート本体に取り付けられる構成である。【選択図】図１
2019060106.tif 000002
【特許請求の範囲】
【請求項１】
デッキプレートに穿かれた貫通孔に上方から挿通取付されるデッキプレート用インサートであって、
鍔状の頭部と、前記貫通孔に挿通される軸部と、該軸部に形成された雌ネジ部とからなるインサート本体と、
前記軸部の外周に装着され、前記デッキプレート挿通取付時に該デッキプレート上面に当接するワッシャー部材と、
前記ワッシャー部材と前記頭部との間において前記軸部の外周に装着され、前記ワッシャー部材を前記デッキプレート上面に押し付けるスプリング部材と、
前記デッキプレート挿通取付時に、該デッキプレート下側にて外周方向に張出し可能な張出し片部が設けられた筒状部材を有するデッキプレート用インサートにおいて、
前記筒状部材が、有頭の雄ネジ体からなる仮止め部材の外周に装着され、
前記仮止め部材の雄ネジ部と、前記インサート本体の雌ネジ部とを螺合することにより、前記筒状部材がインサート本体に取り付けられる構成であることを特徴とするデッキプレート用インサート。
【請求項２】
筒状部材と仮止め部材の間に、スペーサー部材が設けられた構成であることを特徴とする請求項１に記載のデッキプレート用インサート。
【請求項３】
スペーサー部材が設けられることにより、筒状部材の上端面が、インサート本体の下端面より上方に位置することを防ぐ構成であることを特徴とする請求項２に記載のデッキプレート用インサート。
【請求項４】
デッキプレートに挿通取付された後、筒状部材、仮止め部材及びスペーサー部材をインサート本体から取り外した状態で、デッキプレート下面から突出する箇所が無いことを特徴とする請求項１〜３のいずれかに記載のデッキプレート用インサート。
【請求項５】
筒状部材の張出し片部の下方に筒部が設けられ、この筒部の内筒に係止部が設けられ、筒状部材の下方からスペーサー部材が脱落するのを防止する構成であることを特徴とする請求項２〜４のいずれかに記載のデッキプレート用インサート。
【請求項６】
仮止め部材が、ボルトであることであることを特徴とする請求項１〜５のいずれかに記載のデッキプレート用インサート。
【請求項７】
請求項１〜６のいずれかに記載のデッキプレート用インサートが用いられ、
前記デッキプレート用インサートを、デッキプレートに穿かれた貫通孔に上方から挿通して取付け、該デッキプレートの上面にコンクリートを打設した後、
インサート本体との螺合を解除することによって仮止め部材を取り外すと同時に、仮止め部材に挿入取付された筒状部材又は筒状部材及びスペーサー部材をも取り外すことで、前記デッキプレートの下側に突出した箇所がすべて取り外されることを特徴とするデッキプレート用インサートの施工方法。
【請求項８】
デッキプレート用インサートの仮止め部材はボルトであり、
該仮止め部材を電動工具によって取り外すことを特徴とする請求項７に記載のデッキプレート用インサートの施工方法。
【請求項９】
請求項７又は８に記載の施工方法によって取り付けられたインサート本体から、筒状部材、スペーサー部材及び仮止め部材を取り外した後、
前記インサート本体の雌ネジ部に、吊りボルトが吊り下げられることを特徴とする配管
支持具の取り付け方法。
【発明の詳細な説明】
【技術分野】
【０００１】
本発明はデッキプレート用インサートに関し、詳しくはデッキプレート等の天井プレート材に吊り天井・空調機器・配管類等の吊り構造物を吊り下げるための吊りボルトを吊下げ固定するためのインサートに関する。
【背景技術】
【０００２】
波形プレート構造のデッキプレートへのインサートの取付けは、デッキプレートに貫通孔を穿ち、該貫通孔に上方からインサートを打ち込み挿通することで取付固定している。この取付固定後、上階の床面等を施工するためにデッキプレートの上面にはコンクリートが打設され、インサートはコンクリート内に埋設されるので、デッキプレートとインサートとは強く固定される。
【０００３】
従来のインサートは、例えば特許文献１に記載のように、デッキプレートの貫通孔に上方から挿通したインサート本体はその下部がデッキプレートの下方にまで突出した状態となっており、このデッキプレートより下方に位置するインサート本体の下部に形成された雌ネジ部に吊りボルトが挿通される構成となっている。
【０００４】
しかし、特許文献１の技術では、吊りボルトが螺合固定する部分は、デッキプレートより上方の打設コンクリート内に埋設されるのではなく、打設コンクリートの無いデッキプレートより下方に突出状態で位置することになる。これにより、この吊りボルトが螺合固定する部分の強度は、インサート本体の雌ネジ部の強度のみに依存することになるので、打設コンクリート内にインサート本体の略全部が埋設される一般的なインサートに比して、剪断力の点で低くならざるをえないという問題点を有している。
【０００５】
一方で、上記のような問題点を解消すべく、特許文献２又は３に記載の技術が提案されている。
これらの技術によれば、最も強度が要求される部分であるインサート本体の吊りボルトが螺合された部分が、デッキプレートより上方位置の打設コンクリート内に埋設された状態となる。これにより、インサート本体の雌ネジ部が形成された部分の強度に加えて、この雌ネジ部が形成された部分の外周を埋める打設コンクリートの強度も加わるため、剪断力を高くすることができるものとなった。
【０００６】
しかし、本発明者らの研究によれば、インサートに吊り下げられる配管支持具等の構造は多様化しており、例えば、１つの配管支持バンドを吊り下げるために複数の吊りボルトを用いることがあり、この場合は、インサートから垂直に吊り下げる他、斜め方向に向かって吊り下げることもある。このように、吊りボルトを斜め方向へ取り付ける場合は、インサートと吊りボルトの取付において特殊な金具を介在させることがあり、この特殊な金具を取り付けるためには、デッキプレートの下方に位置する外筒部等が妨げとなるという問題点があることを突き止めた。
【０００７】
また、デッキプレートの下面を、下階の天井としてそのまま利用する場合は、インサートの外筒部等がデッキプレート下面に表れることが、美感の上で好ましくないという問題点もあることを知った。
【先行技術文献】
【特許文献】
【０００８】
【特許文献１】実公平０１−０１９６９４
【特許文献２】登録実用新案第３１９０５１６号
【特許文献３】特開２０１６−０５０３９９
【発明の概要】
【発明が解決しようとする課題】
【０００９】
そこで、本発明の課題は、インサートと吊り金具との螺合部分の強度が高く、多種多様な吊り金具の形状に対応することができ、更に、インサート取付後におけるデッキプレート下面の美感をも考慮したデッキプレート用インサートを提供することにある。
【課題を解決するための手段】
【００１０】
上記本発明の課題は、下記の手段により達成される。
１．デッキプレートに穿かれた貫通孔に上方から挿通取付されるデッキプレート用インサートであって、
鍔状の頭部と、前記貫通孔に挿通される軸部と、該軸部に形成された雌ネジ部とからなるインサート本体と、
前記軸部の外周に装着され、前記デッキプレート挿通取付時に該デッキプレート上面に当接するワッシャー部材と、
前記ワッシャー部材と前記頭部との間において前記軸部の外周に装着され、前記ワッシャー部材を前記デッキプレート上面に押し付けるスプリング部材と、
前記デッキプレート挿通取付時に、該デッキプレート下側にて外周方向に張出し可能な張出し片部が設けられた筒状部材を有するデッキプレート用インサートにおいて、
前記筒状部材が、有頭の雄ネジ体からなる仮止め部材の外周に装着され、
前記仮止め部材の雄ネジ部と、前記インサート本体の雌ネジ部とを螺合することにより、前記筒状部材がインサート本体に取り付けられる構成であることを特徴とするデッキプレート用インサート。
【００１１】
２．筒状部材と仮止め部材の間に、スペーサー部材が設けられた構成であることを特徴とする請求項１に記載のデッキプレート用インサート。
【００１２】
３．スペーサー部材が設けられることにより、筒状部材の上端面が、インサート本体の下端面より上方に位置することを防ぐ構成であることを特徴とする請求項２に記載のデッキプレート用インサート。
【００１３】
４．デッキプレートに挿通取付された後、筒状部材、仮止め部材及びスペーサー部材をインサート本体から取り外した状態で、デッキプレート下面から突出する箇所が無いことを特徴とする請求項１〜３のいずれかに記載のデッキプレート用インサート。
【００１４】
５．筒状部材の張出し片部の下方に筒部が設けられ、この筒部の内筒に係止部が設けられ、筒状部材の下方からスペーサー部材が脱落するのを防止する構成であることを特徴とする請求項２〜４のいずれかに記載のデッキプレート用インサート。
【００１５】
６．仮止め部材が、ボルトであることであることを特徴とする請求項１〜５のいずれかに記載のデッキプレート用インサート。
【００１６】
７．請求項１〜６のいずれかに記載のデッキプレート用インサートが用いられ、
前記デッキプレート用インサートを、デッキプレートに穿かれた貫通孔に上方から挿通して取付け、該デッキプレートの上面にコンクリートを打設した後、
インサート本体との螺合を解除することによって仮止め部材を取り外すと同時に、仮止め部材に挿入取付された筒状部材又は筒状部材及びスペーサー部材をも取り外すことで、
前記デッキプレートの下側に突出した箇所がすべて取り外されることを特徴とするデッキプレート用インサートの施工方法。
【００１７】
８．デッキプレート用インサートの仮止め部材はボルトであり、
該仮止め部材を電動工具によって取り外すことを特徴とする請求項７に記載のデッキプレート用インサートの施工方法。
【００１８】
９．請求項７又は８に記載の施工方法によって取り付けられたインサート本体から、筒状部材、スペーサー部材及び仮止め部材を取り外した後、
前記インサート本体の雌ネジ部に、吊りボルトが吊り下げられることを特徴とする配管支持具の取り付け方法。
【発明の効果】
【００１９】
上記１に示す発明によれば、施工対象であるデッキプレートにインサートを挿入取付し、デッキプレート上面にコンクリートを打設した後、インサート本体から仮止め部材を取り外すことにより、筒状部材も同時に取り外されるので、インサート本体の下方には、インサートに係る部材は何ら存在しないことになる。インサート本体の下端面は、デッキプレート下面と同じ平面上に位置するので、デッキプレートの下面からインサートの部材は突出しない。
【００２０】
これにより、インサート全体が、デッキプレート上に打設されたコンクリート内に埋設された状態で、吊りボルト等の吊り金具と接続されるので、インサートと吊り金具との螺合部分の強度が高く、剪断力の高いデッキプレート用インサートを提供することができる。
なお、ここでいう剪断力（剪断応力）とは、部材の平行な２面に沿って等しい大きさで反対方向に力を作用させた状態、或いはその力の事をいい、即ち、インサートが破壊されず、吊りボルト等の吊り金具との結合を維持する力をいう。
【００２１】
また、デッキプレートの下面からインサートの部材は突出又は露出しない構成であるため、形状等を問わず、多種多様の吊り金具を取り付けることができる。
更にまた、デッキプレートの下面からインサートの部材は突出又は露出しない構成であるため、例えば、下階の天井に仕上げ材が使用されず、デッキプレート下面をそのまま天井として利用する場合においても、インサートの部材が視野に入ることは無く、仕上がり後の美感向上に貢献することもできる。
【００２２】
上記２〜３に示す発明によれば、筒状部材と仮止め部材の間にスペーサー部材を設けることにより、仮止め部材の雄ネジ部が、インサート本体の雌ネジ部に必要以上に螺合挿入されることを防ぐことができる。即ち、螺合位置をインサート本体の下端面と、筒状部材の上端面が対面する位置に保持することができる。
これにより、デッキプレートの貫通孔にインサートを挿通取付する際に、インサート本体の下端面とデッキプレート下面とが、略同一の面上に位置するので、筒状部材、スペーサー部材及び仮止め部材を取り外した後は、デッキプレート下面にインサートの部材が突出又は露出することがない。
【００２３】
上記４に示す発明によれば、デッキプレートに挿通取付された後、筒状部材、仮止め部材及びスペーサー部材をインサート本体から取り外した状態で、デッキプレート下面から突出する箇所が無い構成であるため、多種多様の形状の吊り金具を取り付けることができると共に、デッキプレート下面の美感をも考慮したデッキプレート用インサートを提供することができる。
【００２４】
上記５に示す発明によれば、筒状部材の張出し片部の下方に筒部が設けられ、この筒部の内筒に係止部が設けられた構成であるため、スペーサー部材がこの係止部に係止されることによって、筒状部材の下方からスペーサー部材が脱落するのを防止することができる。
【００２５】
上記６に示す発明によれば、仮止め部材としてボルトを用いれば、入手が容易かつ安価である上、インパクトレンジ等の電動工具によって取り外しが容易かつ敏速であり、作業効率を高めることができる。
【００２６】
上記７に示す発明によれば、この施工方法を用いることによって、デッキプレートの下側に突出したインサートの部材がすべて取り外されるので、インサートに多種多様の形状の吊り金具を取り付けることができると共に、デッキプレート下面の美感をも向上させることができる。
【００２７】
上記８に示す発明によれば、仮止め部材としてボルトを用いれば、入手が容易かつ安価である上、インパクトレンジ等の電動工具によって取り外しが容易かつ敏速であり、作業効率を高めることができる。
【００２８】
上記９に示す発明によれば、この配管支持具の取り付け方法を用いることによって、インサートと吊り金具との螺合部分の強度が高いことから、耐久性・耐震性の高い施工が可能であり、多種多様な吊り金具の形状に対応することができ、更に、インサート取付後におけるデッキプレート下面の美感をも向上させることができる。
【図面の簡単な説明】
【００２９】
【図１】本発明に係るデッキプレート用インサートの一実施例を表す分解正面図(a)及び組立て正面図(b)
【図２】インサート本体の４面図（正面図(a)、平面図(b)、底面図(c)及びＡ−Ａ断面図(d)）
【図３】筒状部材の６面図（正面図(a)、背面図(b)、左側面図(c)、平面図(d)、底面図(e)及びＢ−Ｂ断面図(f)）
【図４】筒状部材、スペーサー部材及び仮止め部材が装着された状態を表す正面図(a)、平面図(b)及びＣ−Ｃ断面図(c)
【図５】筒状部材の係止部とスペーサー部材の位置関係を説明する要部拡大端面図
【図６】デッキプレート用インサートの施工方法を表す概略断面図（インサートをデッキプレートに取り付け、デッキプレートにコンクリートが打設された状態）
【図７】デッキプレート用インサートの施工方法を表す概略断面図（図６の状態から、インサートの筒状部材、スペーサー部材及び仮止め部材が取り外された状態）
【図８】デッキプレート用インサートの施工方法及びこれを用いた配管支持具の取り付け方法を示す概略部分断面図
【発明を実施するための形態】
【００３０】
添付の図面に従って、本発明の実施例を詳細に説明する。
図１に示されるように、本発明に係るデッキプレート用インサート（以下、単に「デッキプレート用インサート」又は「インサート」ともいう。）１は、インサート本体２、スプリング部材３、ワッシャー部材４、筒状部材５、スペーサー部材６及び仮止め部材７から構成される。
【００３１】
インサート本体２は、図１及び図２に示されるように、円筒の形状からなる軸部２１と、この軸部２１の内筒に形成された雌ネジ部２２と、軸部２１の上端に形成された鍔状の頭部２３から構成される。
雌ネジ部２２は、軸部２１の内筒の全部又は一部に形成され、その形成される長さに限定はない。
インサート本体２は、少なくとも上記構成を有すればよく、この種のデッキプレート用インサートのインサート本体として公知公用の技術を特別の制限無く採用することができる。また、強度や耐久性を考慮し、金属製であることが好ましい。
【００３２】
スプリング部材３は、図１に示されるように、インサート本体２の頭部２３とワッシャー部材４との間において軸部２１の外周に装着される。
インサート１をデッキプレートの貫通孔Ｄ１に挿通取付すると、このスプリング部材３は収縮変形し、その復元力によってワッシャー部材４をデッキプレート上面Ｄ２に押圧するよう作用する。よって、スプリング部材３の長さは、外力が加わらない状態において軸部２１の長さと略同一又は軸部２１より長く形成される。
スプリング部材３の具体的な形態に限定はなく、公知公用のスプリング（弾性ばね）を特別の制限無く採用することができる。また、強度や耐久性を考慮し、金属製であることが好ましい。
【００３３】
ワッシャー部材４は、インサート１がデッキプレートＤに挿通取り付けされた状態において、デッキプレート上面Ｄ２に接地して、スプリング部材３によって押圧される部材である。また、インサート本体２が、デッキプレートＤの下方に脱落するのを防止する部材でもある。
ワッシャー部材４の具体的な形態に限定はなく、公知公用のワッシャー（座金）を特別の制限無く採用することができる。また、材質について限定はないが、軽量化やコストの面から考慮して合成樹脂を用いることが好ましく、例えば、ポリプロピレン、ＡＢＳ、ポリカーボネート等を挙げることができる。
【００３４】
筒状部材５は、図１又は図３に示されるように、張出し片部５１及び筒部５２から構成され、係止部５３が設けられることが好ましい。
張出し片部５１は、少なくともこの部分が可撓性を有する材質から形成され、図３に示されるように、インサート１がデッキプレートＤに挿通取付される方向に対して下方から上方に向かって拡開し、一部が切欠した形態である。この形態により、筒状部材５がデッキプレートの貫通孔Ｄ１を通過するときは、張出し片部５１が内側に狭まり、通過（挿通）した後は外周方向に拡開する。
【００３５】
これらの作用によって、インサート１がデッキプレートＤに打ち込まれ、筒状部材５が貫通孔Ｄ１を通過すると張出し片部５１は外周方向へ張出し、その張出した径は貫通孔Ｄ１より大きくなるので、デッキプレートＤの上方への抜けを防止することができる。また、インサート１をデッキプレートＤに固定することができる。
【００３６】
係止部５３は、図３に示されるように、筒部５２の内筒の下端において内側に突出して設けられる。図では、内筒内周の全周に及んで突出した形状であるが、一部の箇所において突出した形状であっても良いし、この突出した箇所が複数有り、連続的又は断続的に形成されても良い。
係止部５３について、図４及び図５に従って詳述する。図４は、筒状部材５、スペーサー部材６及び仮止め部材７が装着された位置関係を示す説明図である。図５は、係止部５３とスペーサー部材６の位置関係と作用を示す説明図である。
【００３７】
係止部５３は、図５に示されるように、後述するスペーサー部材６と接触し、筒状部材５の下方に脱落することを防止するために設けられる。特にインサート１の製造組立て段階において、筒状部材５の下方からスペーサー部材６が脱落することを防止できれば、生産効率を向上させることができる。
【００３８】
筒状部材５は、この種のデッキプレート用インサートの筒状部材として公知公用の材料である合成樹脂製から形成され、張出し片部５１を含めて全体が射出成形等の公知公用の樹脂成形法によって一体成形により形成されることが好ましい。用いられる合成樹脂としては、例えば、ポリプロピレン、ＡＢＳ、ポリカーボネート等が挙げられ、好ましくは可撓性を有する合成樹脂であり、最も好ましくはポリプロピレン又はＡＢＳである。筒状部材５を可撓性を有する樹脂、特にポリプロピレン製又はＡＢＳ製とすることにより、張出し片部５１が、デッキプレートの貫通孔Ｄ１を通過するときは内側に狭まり、通過（挿通）した後は外周方向に拡開するという動作を行う上で適する。
【００３９】
スペーサー部材６は、図４に示されるように、筒状部材５の内側であって、仮止め部材７の外周に装着される。
スペーサー部材６が設けられることにより、筒状部材の上端面５４が、インサート本体の下端面２４より上方に位置することを防ぐ構成である。このスペーサー部材６の上端は、インサート本体２の下端面２４と当接するので、このスペーサー部材６があることにより、筒状部材５の上端面５４が、インサート本体２の下端面２４より上方に移動することを防ぐことができる。
また、このスペーサー部材６が装着された状態で、インサート本体２の下端面２４と、筒状部材５の上端面５４とが対面する構成であることが好ましい。ここでいう対面とは、インサート本体２の下端面２４と筒状部材５の上端面５４とが、略同一面上に位置する意であり、両面が接している必要はない。
【００４０】
よって、筒状部材５の長さと略同一の長さを有する筒状体である。ただし、筒状部材５に係止部５３が設けられる場合は、この係止部５３が形成される範囲を考慮して、スペーサー部材６の長さが決定される。
スペーサー部材６の具体的態様については限定はない。上記調整が可能な態様であればよく、図４等に例示されるような筒状体であってもよく、同じく筒状の形態を有する弦巻バネのような形態であってもよい。
【００４１】
仮止め部材７は、筒状部材５又は筒状部材５及びスペーサー部材６が装着された状態で、インサート本体２の雌ネジ部２２に螺合されることによって仮止めされる部材である。
仮止め部材７は、図１に示されるように、少なくとも雄ネジ部７１と鍔状の頭部７２から構成される。仮止め部材７の具体的形態に限定はないが、例えば、公知公用のボルトを挙げることができる。仮止め部材７としてボルトを使用した場合は、その脱着にインパクトレンチやインパクトドライバーといった電動工具を使用することができるので、作業が容易且つ敏速で、作業効率を高めることができる。
【００４２】
次に、本発明に係るデッキプレート用インサート１を用いた、デッキプレート用インサートの施工方法について、図６〜８に従って説明する。
図６は、インサート１がデッキプレートの貫通孔Ｄ１に挿通され、その後、デッキプレートの上面Ｄ２にコンクリートＣが打設された状態である。
【００４３】
インサート１は、公知公用のインサートと同様に、デッキプレートＤに穿設された貫通孔Ｄ１に、筒状部材５、スペーサー部材６及び仮止め部材７から構成される下方部分を挿入する。そして、筒状部材５の筒部５２が貫通孔Ｄ１に挿通し、張出し片部５１は相通していない状態で、インサート本体２の頭部２３の上方から下方に向けて力を加え、張出し片部５１を貫通孔Ｄ１に挿通させる。この状態で、張出し片部５１は、デッキプレート下面Ｄ３の下方にて外周方向に張出すので、貫通孔Ｄ１の上方へ移動することはできない。一方、デッキプレート上面Ｄ２には、ワッシャー部材４がスプリング部材３によって押圧されているので、インサート１は、このワッシャー部材４と張出し部材５１とでデッキプ
レートＤを挟持する格好となり、ここに仮固定される。
【００４４】
続いて、デッキプレート上面Ｄ２には、上階の床面を形成するためコンクリートＣが打設され、インサート１はコンクリートＣに埋没し、これによりインサート１とデッキプレートＤは確実に固定される（図６に示される状態）。
【００４５】
図６に示される状態から、仮止め部材７の螺合を解除し、インサート本体１から取り外す。この際に、インパクトレンチ等の電動工具を用いれば、作業が容易且つ敏速に行えるので、作業効率を向上させることができる。これに伴い、仮止め部材７に装着されている筒状部材５及びスペーサー部材６もインサート本体１から取り外されるので、デッキプレート下面Ｄ３には、インサート１に係る部材が突出又は露出しない状態となる。この状態を、図７として示す。
【００４６】
図７に示される状態では、デッキプレート下面Ｄ３にインサート１に係る部材が突出又は露出しない状態なので、多種多様の形状の吊り金具（例えば、吊りボルトＢ）を取り付けることができると共に、デッキプレート下面の美感をも向上させることができる。
【００４７】
図７に示される状態で、インサート１に配管支持具等を取り付けることができる。具体的には、インサート本体２の雌ネジ部２２に、吊りボルトＢの雄ネジを螺合し、この吊りボルトＢに配管支持バンド等の配管支持具を取り付けることができる。
【００４８】
図８は、デッキプレート用インサート１の施工方法及びこれを用いた配管支持具の取り付け方法を示す概略部分断面図である。
図８(a)は、デッキプレートＤに、穿孔器具Ｘを使用して貫通孔Ｄ１を穿つ工程を示す
概略部分断面図である。
図８(b)は、デッキプレートＤに穿設された貫通孔Ｄ１に、インサート１を挿通取付す
る工程を示す概略部分断面図である。
【００４９】
図８(c)は、デッキプレートＤに挿通取付されたインサート１から、電動工具Ｙを使用
して筒状部材５、スペーサー部材６及び仮止め部材７を取り外す工程を示す概略部分断面図である。この工程では、デッキプレートＤの上面Ｄ２にコンクリートＣが打設されている（図示しない）。
図８(d)は、デッキプレートＤに挿通取付されたインサート１から、筒状部材５、スペ
ーサー部材６及び仮止め部材７が取り外され、デッキプレートＤにはインサート本体２、スプリング部材３及びワッシャー部材４が取り付けられた状態を示す概略部分断面図である。
図８(e)は、インサート本体２の雌ネジ部２２と吊りボルト８の雄ネジを螺合すること
によって、インサート１に配管支持具が取り付けられる工程を示す概略部分断面図である。
【符号の説明】
【００５０】
１  デッキプレート用インサート
２  インサート本体
２１  軸部
２２  雌ネジ部
２３  頭部
２４  下端面
３  スプリング部材
４  ワッシャー部材
５  筒状部材
５１  張出し片部
５２  筒部
５３  係止部
５４  上端面
６  スペーサー部材
７  仮止め部材
７１  雄ネジ部
７２  頭部
Ｄ  デッキプレート
Ｄ１  貫通孔
Ｄ２  上面
Ｄ３  下面
Ｃ  打設コンクリート
Ｂ  吊りボルト
Ｘ  穿孔器具
Ｙ  電動工具
Ｚ  配管支持具
【図１】
2019060106.tif 000003
【図２】
2019060106.tif 000004
【図３】
2019060106.tif 000005
【図４】
2019060106.tif 000006
【図５】
2019060106.tif 000007
【図６】
2019060106.tif 000008
【図７】
2019060106.tif 000009
【図８】
2019060106.tif 000010